(57)【要約】【課題】金属製の筆記体の後端開口部に合成樹脂製の操作体の嵌入部を嵌入しても、嵌入部の損傷を防止でき、操作体の嵌入部と筆記体の後端開口部との繰り返しの着脱が維持できる多芯筆記具を提供する。【解決手段】少なくとも筆記体５の後端開口部が金属材料により形成される。操作体６が、筆記体５の後端開口部に着脱自在に嵌入される嵌入部６４を備える。操作体６の嵌入部６４が合成樹脂により形成される。嵌入部６４が径方向に貫通する内孔６４ｂを備える。嵌入部６４の外面に、筆記体５の後端開口部内面に密接する凸部６４ａを形成する。凸部６４ａの径方向内方に内孔６４ｂを位置させる。凸部６４ａの前面を凸曲面状または傾斜面状にする。【選択図】  図３
2014128942.tif 000002
【特許請求の範囲】
【請求項１】
軸筒内に複数の筆記体を前後方向に移動可能に収容し、前記各々の筆記体の後端に操作体を連結し、前記各々の筆記体及び操作体を弾発体により後方に付勢し、前記軸筒の側壁に前後方向に延びる複数の窓孔を径方向に貫設し、前記各々の窓孔から径方向外方に前記各々の操作体の操作部を突出させ、一つの操作体を窓孔に沿って前方にスライド操作することにより、その一つの操作体を先にペン先突出状態にあった他の筆記体の操作体と当接させ、先にペン先突出状態にあった他の筆記体の操作体と軸筒内壁との係止状態を解除し、先に突出状態にあった他の筆記体のペン先を軸筒内に没入させ、前記前方にスライド操作した操作体に連結された筆記体のペン先を軸筒の前端孔から突出させてなる多芯筆記具であって、少なくとも筆記体の後端開口部が金属材料により形成され、前記操作体が、筆記体の後端開口部に着脱自在に嵌入される嵌入部を備え、前記操作体の嵌入部が合成樹脂により形成され、前記嵌入部が、径方向に貫通する内孔を備えたことを特徴とする多芯筆記具。
【請求項２】
前記嵌入部の外面に、筆記体の後端開口部内面に密接する凸部を形成し、前記凸部の径方向内方に前記内孔を位置させ、前記凸部の前面を凸曲面状または傾斜面状にした請求項１記載の多芯筆記具。
【発明の詳細な説明】
【技術分野】
【０００１】
本発明は、多芯筆記具に関する。
【背景技術】
【０００２】
従来、この種の筆記具において、軸内の複数の筆記体を収納して、筆記体と連接したノック操作部を摺動させることにより選択的に筆記先端部を先端孔から出没させる複式筆記具が知られている。（例えば、特許文献１）
【０００３】
前記従来の多芯筆記具は、筆記体を交換する際、操作体の前端の嵌入部が筆記体の後端開口部に着脱可能に嵌入されているが、合成樹脂製の操作体の嵌入部を金属製の筆記体の後端開口部に嵌入する場合、操作体の嵌入部が、筆記体の後端により削られ、損傷するおそれがある。それによって、操作体の嵌入部と筆記体の後端開口部との繰り返しの着脱が維持できなくなる可能性がある。
【先行技術文献】
【特許文献】
【０００４】
【特許文献１】特開平１１−１３９０８０号公報
【発明の概要】
【発明が解決しようとする課題】
【０００５】
本発明は前記従来の問題点を解決するものであって、金属製の筆記体の後端開口部に合成樹脂製の操作体の嵌入部を嵌入しても、嵌入部の損傷を防止でき、操作体の嵌入部と筆記体の後端開口部との繰り返しの着脱が維持できる多芯筆記具を提供しようとするものである。
【０００６】
尚、本発明において、軸筒において、「前」とは前端孔側を指し、「後」とはその反対側を指し、筆記体において、「前」とはペン先側を指し、「後」とはその反対側を指す。
【課題を解決するための手段】
【０００７】
本願の第１の発明は、軸筒２内に複数の筆記体５を前後方向に移動可能に収容し、前記各々の筆記体５の後端に操作体６を連結し、前記各々の筆記体５及び操作体６を弾発体７により後方に付勢し、前記軸筒２の側壁に前後方向に延びる複数の窓孔４１を径方向に貫設し、前記各々の窓孔４１から径方向外方に前記各々の操作体６の操作部６１を突出させ、一つの操作体６を窓孔４１に沿って前方にスライド操作することにより、その一つの操作体６を先にペン先突出状態にあった他の筆記体５の操作体６と当接させ、先にペン先突出状態にあった他の筆記体５の操作体６と軸筒２内壁との係止状態を解除し、先に突出状態にあった他の筆記体５のペン先５１を軸筒２内に没入させ、前記前方にスライド操作した操作体６に連結された筆記体５のペン先５１を軸筒２の前端孔３１から突出させてなる多芯筆記具であって、少なくとも筆記体５の後端開口部が金属材料により形成され、前記操作体６が、筆記体５の後端開口部に着脱自在に嵌入される嵌入部６４を備え、前記操作体６の嵌入部６４が合成樹脂により形成され、前記嵌入部６４が、径方向に貫通する内孔６４ｂを備えたことを要件とする。
【０００８】
本願の第１の発明の多芯筆記具１は、少なくとも筆記体５の後端開口部が金属材料により形成され、前記操作体６が、筆記体５の後端開口部に着脱自在に嵌入される嵌入部６４を備え、前記操作体６の嵌入部６４が合成樹脂により形成され、前記嵌入部６４が、径方向に貫通する内孔６４ｂを備えたことにより、嵌入部６４を筆記体５の後端開口部に嵌入した際、嵌入部６４が径方向内方に弾性変形し、合成樹脂製の操作体６の嵌入部６４を金属製の筆記体５の後端開口部に嵌入しても、嵌入部６４が損傷することを防止でき、嵌入部６４の損傷を防止でき、操作体６の嵌入部６４と筆記体５の後端開口部との繰り返しの着脱が維持できる。尚、前記内孔６４ｂは、前方、後方、または径方向外方に切欠状に開口していてもよい。また、本発明で、前記複数の筆記体５は、少なくとも１本の筆記体５の後端開口部が金属製であればよい。
【０００９】
本願の第２の発明は、前記第１の発明の多芯筆記具１において、前記嵌入部６４の外面に、筆記体５の後端開口部内面に密接する凸部６４ａを形成し、前記凸部６４ａの径方向内方に前記内孔６４ｂを位置させ、前記凸部６４ａの前面を凸曲面状または傾斜面状にしたことを要件とする。
【００１０】
前記第２の発明の多芯筆記具１は、前記嵌入部６４の外面に、筆記体５の後端開口部内面に密接する凸部６４ａを形成し、前記凸部６４ａの径方向内方に前記内孔６４ｂを位置させ、前記凸部６４ａの前面を凸曲面状または傾斜面状にしたことにより、嵌入部６４を筆記体５の後端開口部にスムーズに嵌入することができるとともに、嵌入部６４の径方向内方への弾性変形を容易にし、より一層、嵌入部６４の損傷を防ぐことができる。
【発明の効果】
【００１１】
本発明の多芯筆記具によれば、金属製の筆記体の後端開口部に合成樹脂製の操作体の嵌入部を嵌入しても、嵌入部の損傷を防止でき、操作体の嵌入部と筆記体の後端開口部との繰り返しの着脱が維持できる。
【図面の簡単な説明】
【００１２】
【図１】本発明の実施の形態のペン先没入状態を示す縦断面図である。
【図２】図１のペン先突出状態を示す縦断面図である。
【図３】嵌入部と筆記体との第１の構成（嵌入前）を示す要部拡大図である。
【図４】嵌入部と筆記体との第１の構成（嵌入後）を示す要部拡大図である。
【図５】嵌入部と筆記体との第２の構成（嵌入前）を示す要部拡大図である。
【図６】嵌入部と筆記体との第２の構成（嵌入後）を示す要部拡大図である。
【図７】嵌入部と筆記体との第３の構成（嵌入前）を示す要部拡大図である。
【図８】嵌入部と筆記体との第３の構成（嵌入後）を示す要部拡大図である。
【発明を実施するための形態】
【００１３】
図１乃至図８に本発明の実施の形態を示す。
【００１４】
本実施の形態の多芯筆記具１は、軸筒２と、該軸筒２内に前後方向に移動可能に収容される複数本の筆記体５とからなる。前記各々の筆記体５の後端には、操作体６が取り付けられる。前記各々の筆記体５及び操作体６は、弾発体７（具体的には圧縮コイルスプリング）により後方に付勢されている。尚、本発明において、前記軸筒２内に移動可能に収容する筆記体５の本数は、２本以上であればよく、２本以外にも、３本、４本、５本、６本等であってもよい。
【００１５】
前記軸筒２は、先細状の円筒体からなる前軸３と、該前軸３の後端部と螺合または圧入により取り付けられる円筒状の後軸４とからなる。前記前軸３の前端には、筆記体５のペン先５１が突出可能な前端孔３１が軸方向に貫設される。前記前軸３及び後軸４は、合成樹脂（例えば、ポリカーボネイト等）の射出成形により得られる。
【００１６】
前記後軸４の後部の側壁には、複数本（具体的には２本）の前後方向に延びる細長状の窓孔４１が、径方向に貫設される。
【００１７】
また、前記後軸４の窓孔４１の相互間の側壁内面には、前後方向に延びるリブよりなる係止壁部４２が形成され、前記係止壁部４２に、ペン先５１が突出した際の筆記体５の操作体６の後端が係止される。
【００１８】
前記各々の筆記体５は、例えば、ボールペンレフィル、シャープペンシルレフィル、サインペンレフィル、マーキングペンレフィル等、入力ペンレフィル（スタイラスペンレフィル）等の公知のペン先を備えたレフィルが挙げられる。少なくとも、前記各々の筆記体５の後端開口部は、金属材料により形成される。尚、本発明で、前記各々の筆記体５の後端開口部は、少なくとも１本の筆記体の後端開口部が金属材料により形成されていればよく、例えば、他の筆記体の後端開口部は合成樹脂製でもよい。
【００１９】
本実施の形態では、ボールペンレフィルが採用される。前記ボールペンレフィルは、ボールペンチップ（ペン先５１）と、該ボールペンチップを前端に備え且つ内部にインキが収容されたインキ収容管５２と、該インキ収容管５２の後端（即ちインキ収容管５２の後端開口部）に嵌合された操作体６とからなる。
【００２０】
前記インキ収容管５２は金属製（例えばステンレス鋼製）の円筒体からなり、後端開口部も前記同材料の金属により形成される。
【００２１】
前記操作体６は、後端部に形成され且つ軸筒２の窓孔４１から軸筒２外部に突出する操作部６１と、該操作部６１の反対側に設けられる前側突出部６２と、該操作部６１の反対側の前側突出部６２の後方に設けられる後側突出部６３と、前端部に形成され且つインキ収容管５２の後端開口部に嵌入される嵌入部６４と、該嵌入部６４の後方に形成される鍔部６５とを備える。前記鍔部６５の前面には、弾発体７の後端が係止される。前記操作体６は、合成樹脂（例えば、ポリアセタール樹脂、ＡＢＳ樹脂等）により、一体に形成され、前記嵌入部６４も、同材料の合成樹脂により形成される。前記嵌入部６４は、図３乃至図８の構成（構成１、２、３）の何れかが採用される。
【００２２】
筆記体５のペン先５１が没入状態のとき、その筆記体５に取り付けられた操作体６の後端部は、軸筒２後端の当接壁部４３に衝止される。一方、筆記体５のペン先５１が突出状態のとき、その筆記体５に取り付けられた操作体６の後端部は、軸筒２の内壁に形成された係止壁部４２に係止される。ペン先没入状態にある筆記体５の後端に連結された操作体６の前側突出部６２は、その操作体６の操作部６１を前方に移動させた際、先にペン先突出状態にある他の筆記体５の後端に連結された操作体６の後側突出部６３と当接され、他の筆記体５の後端に連結された操作体６と係止壁部４２との係止状態が解除され、他の筆記体５のペン先突出状態が解除される。
【００２３】
軸筒２の内壁（即ち後軸４の内壁）には、円筒状の弾発体支持部８が固着される。前記弾発体支持部８は、筆記体５が挿通される複数の貫通孔８１が軸方向に貫設されている。前記弾発体支持部８の後面と、各々の操作体６の鍔部６５の前面との間には、弾発体７が配置される。前記各々の弾発体７の内部に筆記体５が遊挿されるとともに、各々の弾発体７の前端は弾発体支持部８の後面により係止され、各々の弾発体７の後端は操作体６の鍔部６５の前面に係止される。前記弾発体７により、筆記体５及び操作体６が後方に付勢される。
【００２４】
＜第１の構成＞
図３及び図４に本発明の実施の形態の嵌入部６４と筆記体５との第１の構成を示す。第１の構成は、図１及び図２の構成に適用される。
【００２５】
合成樹脂製の操作体６の嵌入部６４は、径方向に貫通する内孔６４ｂを備える。前記内孔６４ｂの径方向外方の嵌入部６４の外面には、筆記体５の後端開口部内面に密接する一対の凸部６４ａが対向して形成される。前記凸部６４ａの前面が凸曲面状または傾斜面状にされる。前記内孔６４ｂは、凸部６４ａの突出方向と直交し且つ軸線と直交する方向に貫通される。
【００２６】
＜第２の構成＞
図５及び図６に本発明の実施の形態の嵌入部６４と筆記体５との第２の構成を示す。第２の構成は、図１及び図２の構成に適用される。
【００２７】
合成樹脂製の操作体６の嵌入部６４は、径方向に貫通する内孔６４ｂを備える。前記内孔６４ｂは、複数が前後方向に並ぶよう配置される。前記各々の内孔６４ｂの径方向外方の嵌入部６４の外面には、筆記体５の後端開口部内面に密接する一対の凸部６４ａが対向して形成される。前記凸部６４ａの前面及び後面が凸曲面状または傾斜面状にされる。前記内孔６４ｂは、凸部６４ａの突出方向と直交し且つ軸線と直交する方向に貫通される。
【００２８】
＜第３の構成＞
図７及び図８に本発明の実施の形態の嵌入部６４と筆記体５との第３の構成を示す。第３の構成は、図１及び図２の構成に適用される。
【００２９】
合成樹脂製の操作体６の嵌入部６４は、軸部と、該軸部外面より径方向外方に一体に突出形成される複数の屈曲片状の凸部６４ａとからなる。前記凸部６４ａが筆記体５の後端開口部内面に密接される。前記凸部６４ａは、軸部の対向する面に互い違いに形成される。前記凸部６４ａの前面が凸曲面状または傾斜面状にされる。
【００３０】
前記凸部６４ａは、径方向内方には、径方向に貫通する内孔６４ｂを備える。前記内孔６４ｂは、凸部６４ａの突出方向と直交し且つ軸線と直交する方向に貫通される。また、前記内孔６４ｂは、切欠状に後方に開口している。尚、これ以外にも、前記内孔６４ｂは、切欠状に前方にまたは径方向外方に開口する構成でもよい。
【００３１】
本実施の形態の多芯筆記具１（構成１、構成２、構成３）は、少なくとも筆記体５の後端開口部が金属材料により形成され、前記操作体６が、筆記体５の後端開口部に着脱自在に嵌入される嵌入部６４を備え、前記操作体６の嵌入部６４が合成樹脂により形成され、前記嵌入部６４が、径方向に貫通する内孔６４ｂを備えたことにより、嵌入部６４を筆記体５の後端開口部に嵌入した際、嵌入部６４が径方向内方に弾性変形し、合成樹脂製の操作体６の嵌入部６４を金属製の筆記体５の後端開口部に嵌入しても、嵌入部６４が損傷することを防止でき、嵌入部６４の損傷を防止でき、操作体６の嵌入部６４と筆記体５の後端開口部との繰り返しの着脱が維持できる。
【００３２】
本実施の形態の多芯筆記具１（構成１、構成２、構成３）は、前記嵌入部６４の外面に、筆記体５の後端開口部内面に密接する凸部６４ａを形成し、前記凸部６４ａの径方向内方に前記内孔６４ｂを位置させ、前記凸部６４ａの前面を凸曲面状または傾斜面状にしたことにより、嵌入部６４を筆記体５の後端開口部にスムーズに嵌入することができるとともに、嵌入部６４の径方向内方への弾性変形を容易にし、より一層、嵌入部６４の損傷を防ぐことができる。
【符号の説明】
【００３３】
１  多芯筆記具
２  軸筒
３  前軸
３１  前端孔
４  後軸
４１  窓孔
４２  係止壁部
４３  当接壁部
５  筆記体
５１  ペン先
５２  インキ収容管
６  操作体
６１  操作部
６２  前側突出部
６３  後側突出部
６４  嵌入部
６４ａ  凸部
６４ｂ  内孔
６５  鍔部
７  弾発体
８  弾発体支持部
８１  貫通孔
【図１】
2014128942.tif 000003
【図２】
2014128942.tif 000004
【図３】
2014128942.tif 000005
【図４】
2014128942.tif 000006
【図５】
2014128942.tif 000007
【図６】
2014128942.tif 000008
【図７】
2014128942.tif 000009
【図８】
2014128942.tif 000010